(57)【特許請求の範囲】
【請求項１】
第１光源部と第１拡散部とを、前記第１光源部から照射された光が前記第１拡散部を介して外部に放射されるように配置して第１照明部が構成され、
最大輝度が前記第１光源部よりも低輝度であって、且つ、前記第１光源部よりも発光面の面積が大きい第２光源部と、前記第１拡散部よりも拡散度の低い第２拡散部とを、前記第２光源部から照射された光が前記第２拡散部を介して外部に放射されるように配置して第２照明部が構成される
ことを特徴とする照明装置。
【請求項２】
前記第２照明部は、前記第１照明部の周囲のうち少なくとも２方向に配置される
ことを特徴とする請求項１に記載の照明装置。
【請求項３】
前記第１照明部および前記第２照明部のうち一方は、発光面が器具発光面の面積に対して略３０％の面積である
ことを特徴とする請求項１または請求項２に記載の照明装置。
【請求項４】
前記第２光源部に含まれる光源は、無指向性の光源である
ことを特徴とする請求項１乃至請求項３の何れか１項に記載の照明装置。
【請求項５】
前記第１光源部に含まれる光源の数と前記第１光源部の最大輝度との積よりも、前記第２光源部に含まれる光源の数と前記第２光源部の最大輝度との積が大きい場合に、前記第１光源部と前記第２拡散部とを組み合わせて前記第２照明部とし、前記第２光源部と前記第１拡散部とを組み合わせて前記第１照明部とする
ことを特徴とする請求項１乃至請求項４の何れか１項に記載の照明装置。
【請求項６】
前記第１光源部は、
鉛直方向に対して９０°以上の角度で光を照射する
ことを特徴とする請求項１に記載の照明装置。
【請求項７】
前記第１光源部により発光される光の相関色温度と、前記第２光源部により発光される光の相関色温度とが異なる
ことを特徴とする請求項１乃至請求項６の何れか１項に記載の照明装置。
【請求項８】
前記第１光源部により発光される光の演色評価値と、前記第２光源部により発光される光の演色評価値とが異なる
ことを特徴とする請求項１乃至請求項６の何れか１項に記載の照明装置。
【請求項９】
前記第１照明部および前記第２照明部のうち少なくとも一方は、発光面に光源からの光が拡散されずに外部に照射される領域が設けられる
ことを特徴とする請求項１乃至請求項８の何れか１項に記載の照明装置。
【請求項１０】
互いに特性の異なる複数の光源部と、
前記光源部から照射される光を拡散させる、互いに特性の異なる複数の拡散部と
を有し、
前記光源部および前記拡散部は、
器具発光面の中心から外側に向けて特性が順次変化する
ことを特徴とする照明装置。
【請求項１１】
前記光源部は、
輝度が、器具発光面の中心から外側に向けて順次低い輝度に変化すると共に、前記中心から外側に向けた方向の配置間隔が順次狭くされ、
前記拡散部は、
拡散度が、前記器具発光面の中心から外側に向けて順次低い拡散度に変化する
ことを特徴とする請求項１０に記載の照明装置。
【請求項１２】
前記光源部は、
輝度が、器具発光面の中心から外側に向けて順次高い輝度に変化すると共に、前記中心から外側に向けた方向の配置間隔が順次広くされ、
前記拡散部は、
拡散度が、前記器具発光面の中心から外側に向けて順次高い拡散度に変化する
ことを特徴とする請求項１０に記載の照明装置。
【発明の詳細な説明】
【技術分野】
【０００１】
本発明は、照明装置に関する。
【背景技術】
【０００２】
照明器具の眩しさを軽減する場合、一般的には、拡散度の高い拡散材を利用して、照明器具の発光部分（以下、器具発光面と呼ぶ）を、面内の輝度が均一な発光面にする。また、光源を狭い間隔で均等に多数並べて発光面を構成することにより、器具発光面の輝度を均一にする方法もある。器具発光面の輝度を均一化することで、その照明器具を直接的に見たときに感じる眩しさを軽減することができる。
【先行技術文献】
【特許文献】
【０００３】
【特許文献１】特開２００９−０４８９５５号公報
【発明の概要】
【発明が解決しようとする課題】
【０００４】
しかしながら、器具発光面の輝度を均一化すると、眩しさが軽減できる一方で、効率（光源の全光束に対する器具から器具の全光束）が落ち、照明器具の省エネルギ性が低下してしまうという問題点があった。また、光源を狭い間隔で均等に多数並べる方法では、光源の個数を非常に多く使用するので、装置のコストが嵩んでしまうという問題があった。
【０００５】
本発明が解決しようとする課題は、眩しさが軽減された照明を、装置コストを抑制しつつ実現可能な照明装置を提供することにある。
【課題を解決するための手段】
【０００６】
実施形態の照明装置は、第１光源部と第１拡散部とを、第１光源部から照射された光が第１拡散部を介して外部に放射されるように配置して第１照明部が構成される。最大輝度が第１光源部よりも低輝度であって、且つ、第１光源部よりも発光面の面積が大きい第２光源部と、第１拡散部よりも拡散度の低い第２拡散部とを、第２光源部から照射された光が第２拡散部を介して外部に放射されるように配置して第２照明部が構成される。
【図面の簡単な説明】
【０００７】
【図１】図１は、用語の定義を行うための図である。
【図２】図２は、第１の実施形態による照明装置の構成を概念的に示す図である。
【図３】図３は、第１の実施形態に係る照明装置が設置される環境の例を示す図である。
【図４】図４は、第１の実施形態に係る照明装置の特性を説明するための図である。
【図５】図５は、従来技術に係る照明装置の特性を説明するための図である。
【図６】図６は、第２の実施形態に係る照明装置を模式的に示す斜視図である。
【図７】図７は、第２実施形態による照明装置の機能を説明するための機能ブロック図である。
【図８】図８は、第３の実施形態による照明装置を模式的に示す斜視図である。
【図９】図９は、第３実施形態による照明装置の機能を説明するための機能ブロック図である。
【図１０】図１０は、光源の指向性について概略的に説明するための図である。
【図１１】図１１は、第３の実施形態による照明装置が設置される環境の例を示す図である。
【図１２】図１２は、第３の実施形態による照明装置の特性を説明するための図である。
【図１３】図１３は、第４の実施形態による照明装置を模式的に示す斜視図である。
【図１４】図１４は、第５の実施形態による照明装置を模式的に示す斜視図である。
【図１５】図１５は、第５の実施形態による照明装置の光源部および拡散板の構成例を示す図である。
【図１６】図１６は、第５の実施形態の変形例による照明装置を模式的に示す斜視図である。
【図１７】図１７は、第５の実施形態の変形例による照明装置の光源部および拡散板の構成例を示す図である。
【図１８】図１８は、各実施形態および変形例に適用可能な、最大輝度の定義方法の他の例を説明するための図である。
【発明を実施するための形態】
【０００８】
（用語の定義）
各実施形態の説明に先んじて、図１を参照しながら用語の定義を行う。図１（ａ）は、照明装置１００の断面を示し、図１（ｂ）は、照明装置１００の正面を示す。なお、以下では、照明装置が主たる光を放射する面を正面と呼ぶ。例えば照明装置が天井に設けられる場合、照明装置の床面に対向する面が正面となる。
【０００９】
図１において、照明装置１００は、それぞれ光源を備える２の光源部１０１および１０２を有すると共に、拡散板１０３および１０４を有する。拡散板１０３は、光源部１０１から照射された光を拡散して照明装置１００の外部に放射する。拡散板１０４は、光源部１０２から照射された光を拡散して照明装置１００の外部に放射する。
【００１０】
図１を参照し、照明装置１００により光が放射される部分として、発光部、発光面および器具発光面を定義する。発光部は、光源部を暗所に置いた場合に光が放射される部分である。図１の例では、各光源部１０１および１０２の表面がそれぞれ発光部１０５および１０６とされている。
【００１１】
発光面は、１種類の光源部に１種類の拡散部を具備した状態で暗所に置いた場合に、光が放射される部分である。図１の例では、例えば光源部１０１に対して拡散板１０３を設けた状態で光が放射される、拡散板１０３の、発光部１０５とは反対側の面が発光面１０７とされている。光源部１０２および拡散板１０４の組み合わせについても同様に、発光部１０６の反対側の面が発光面１０８とされている。
【００１２】
器具発光面は、照明装置を暗所に置いた場合に光が放射される部分である。図１の例では、器具発光面１０９は、発光面１０７および１０８を含む。器具発光面から放射される光は、光源部から放射される直接光と、光源部から放射された光が当該光源部に対して設けられた拡散部を介して放射される拡散光と、光源部から放射された光が光源部が備える反射部材（図示しない）から反射された反射光とを含む。これに限らず、器具発光面から放射される光が、直接光、拡散光および反射光のうち少なくとも１を含んでいてもよい。
【００１３】
（第１の実施形態）
以下、第１の各実施形態に係る照明装置について説明する。第１の実施形態に係る照明装置は、それぞれ１以上の光源を有する、少なくとも最大輝度を含む特性が異なる２種類以上の光源部と、それぞれ光源部から照射される光を拡散させる、少なくとも拡散度を含む特性が異なる２種類以上の拡散部とを含む。
【００１４】
第１の実施形態に係る照明装置は、器具発光面に含まれる、視野の中心で頻繁に見る発光面と、視野の中心で頻繁には見ないが稀に見る発光面とを、それぞれ異なる種類の光源部および拡散部の組み合わせで構成する。これにより、眩しさが軽減され、且つ、光源からの光の利用効率の良い照明装置を、低コストで実現することが可能となる。
【００１５】
より具体的には、第１の実施形態に係る照明装置は、第１光源部と、第１光源部よりも最大輝度が低い第２光源部とを備える。また、各実施形態に係る照明装置は、第１拡散部と、第１拡散部よりも拡散度が低い第２拡散部とを備える。第１の実施形態に係る照明装置は、第１光源部と第１拡散部とを組み合わせた第１照明部と、第２光源部と第２拡散部とを組み合わせた第２照明部とを含んで構成される。
【００１６】
なお、最大輝度とは、光源部の発光面における輝度分布の最大値をいう。また、拡散度は、ヘイズや分散度により表される。ヘイズは、フィルムの透明性に関する指標で、濁度を表す。ヘイズは、拡散透過光の全光線透過光に対する割合から求められる。また、分散度は、光の放射方向の中心を０°としたときに、輝度が０°の輝度に対して５０％になる角度を指す。分散度は、数値が大きほど拡散性に優れていることを示す。
【００１７】
図２は、第１の実施形態による照明装置の構成を概念的に示す。図２において、照明装置１は、互いに特性の異なる第１光源部１０および第２光源部１１の２種類の光源部を有する。第１光源部１０および第２光源部１１は、それぞれ１以上の光源を含み、第１光源部１０は、最大輝度が第２光源部１１よりも高く、発光面の面積が第２光源部１１よりも小さくされている。なお、図２の例では、照明装置１は、第１光源部１０は、複数の第１光源部１０1、１０2および１０3を含んでいる。この例では、第１光源部１０は、この複数の第１光源部１０1、１０2および１０3の発光面の面積の合計が、第２光源部１１の発光面の面積よりも小さくされている。
【００１８】
また、照明装置１は、互いに特性の異なる第１拡散板１２と第２拡散板１３とを有する。第１拡散板１２は、拡散度が第２拡散板１３よりも高くされている。
【００１９】
照明装置１は、第１光源部１０と第１拡散板１２とを組み合わせて第１照明部を構成する。すなわち、第１照明部において、第１光源部１０から照射された光は、第１拡散板１２を通って照明装置１の外部に放射される。また、照明装置１は、第２光源部１１と第２拡散板１３とを組み合わせて第２照明部を構成する。第２照明部において、第２光源部１１から照射された光は、第２拡散板１３を通って照明装置１の外部に放射される。
【００２０】
図３および図４を用いて、第１の実施形態に係る照明装置１を用いる効果について説明する。なお、図３および図４において、上述した図２と共通する部分には同一の符号を付して、詳細な説明を省略する。
【００２１】
図３は、第１の実施形態に係る照明装置１が設置される環境の例を示す。照明装置１は、器具発光面１４が床面に対向するように、天井１４０に設置される。照明装置１の直下付近である位置ｂに作業者１３１が、位置ｂから離れた位置ａに作業者１３０がそれぞれ位置しているものとする。位置ａは、第１照明部および第２照明部が隣接して設けられる照明装置１に対し、第１照明部の方向に離れた位置である。
【００２２】
作業者１３０は、前方を向いた状態で視野に器具発光面１４が入るので、視野の中心で頻繁に器具発光面１４を見る可能性がある。一方、作業者１３１は、照明装置１すなわち器具発光面１４の直下付近に位置しているため、器具発光面１４を、視野の中心で頻繁には見ないが、稀に見る可能性がある。
【００２３】
図４は、第１の実施形態に係る照明装置１の特性を説明するための図である。図４（ａ）は、照明装置１の輝度分布の例を示し、図４（ｂ）は、図４（ａ）に対応する照明装置１の断面を示す。光源部１０および１１の発光部による輝度分布の例を、図４（ａ）の曲線２００に示す。光源部１０の発光部による輝度分布は、幅が狭く高いピークが現れているのに対し、光源部１１の発光部による輝度分布は、ピークが光源部１０のピークよりも低く、且つ、幅が広い。
【００２４】
第１拡散板１２および１３の表面すなわち発光面または器具発光面１４における輝度分布の例を、図４（ａ）の曲線２０１に示す。最大輝度が低く発光部の面積が大きな光源部１１に対して拡散度の低い第２拡散板１３が組み合わされているため、光源部１１による光の輝度分布は、第２拡散板１３を用いない場合と略同一となっている。一方、最大輝度が高く発光部の面積が小さな光源部１０に対して拡散度の高い第１拡散板１２が組み合わされているため、光源部１０の光の輝度分布は、ピークが抑えられると共に、輝度が分散されてなだらかとなっている。また、高拡散度の第１拡散板１２と低拡散度の第２拡散板１３とにより、光源部１０および１１による、発光面における輝度分布が略等しく揃えられている。
【００２５】
したがって、作業者１３０が、高輝度の光源部１０側から照明装置１の器具発光面１４を視野の中心で見た場合であっても、光源部１０の光は高拡散度の第１拡散板１２で拡散され輝度のピークが抑えられているため、作業者１３０が感じる眩しさが軽減される。
【００２６】
また、作業者１３１が例えば上を向くなどして、照明装置１の器具発光面１４を稀に見た場合であっても、直接的に視野の中心に入る光は、低輝度の光源部１１の光が第２拡散板１３で拡散された光であるので、作業者１３１が感じる眩しさが軽減される。また、高輝度の光源部１０側の光が作業者１３１の視野の中心に入った場合であっても、光源部１０の光は高拡散度の第１拡散板１２で拡散され輝度のピークが抑えられているため、作業者１３１の感じる眩しさが軽減される。
【００２７】
さらに、低輝度の光源部１１に対して低拡散度の第２拡散板１３を組み合わせているため、光源部１１の光に対する効率が良い。なお、ここでいう効率は、光源から放射される全光束に対する、器具発光面から放射される全光束の割合をいう。また、異なる種類の光源と、異なる種類の拡散板との組み合わせによって器具発光面における輝度分布を調整しているため、低コストで眩しさを抑制できる。
【００２８】
ここで、第１の実施形態による効果についてさらに説明する。照明装置から感じる眩しさを軽減する場合、一般的には、拡散度の高い拡散材を利用して、照明器具の器具発光面における輝度分布を均一化する。この方法では、既に説明したように、照明としての効率が低下してしまう。また、光源を狭い間隔で均等に多数並べて器具発光面の輝度分布を均一化する方法では、光源が多数必要になり、コストが嵩んでしまう。
【００２９】
器具発光面の輝度分布の均一化は、器具発光面を直接見たときに感じる眩しさを軽減するために行う。実際には、照明装置は、室内の天井に設置されるため、器具発光面を常時、作業者が見ることは少ないと考えられる。したがって、器具発光面の輝度分布を必ずしも均一化する必要はない。また、ヒトの視覚は、視野中心は細部が見える一方で、視野の周辺ほど細部が見えにくくなる特性がある。したがって、ヒトの視覚特性に合わせた器具発光面を考えるのであれば、輝度分布が均一である必要はなく、さらに一様な不均一さである必要もない。
【００３０】
上述した特許文献１では、部分的に拡散度の異なる拡散部材を利用して、効率と眩しさの軽減とを両立させる照明装置を開示している。図５は、従来技術に係る照明装置４００の特性を説明するための図である。照明装置４００は、光源４０１に対して、視界に入りにくい部分に拡散度の低い（効率の高い）拡散部４１０を位置させ、視界に入りやすい部分に拡散度の高い（効率の低い）拡散部４１１を位置させて、効率と眩しさの軽減とを両立させている。なお、図５では、光源４０１を、拡散部４１０側に属する光源４０１Ａと、拡散部４１１側に属する光源４０１Ｂとに分けて示している。
【００３１】
図５（ａ）は、照明装置４００の器具発光面４１２における輝度分布の例を示し、図５（ｂ）は、図５（ａ）に対応する照明装置４００の断面を示す。光源４０１Ａおよび４０１Ｂの発光部による輝度分布の例を、図５（ａ）の曲線２１０に示す。光源４０１Ａおよび４０１Ｂは共通の光源であるため、互いに等しく幅が狭く高いピークが現れている。
【００３２】
拡散部４１０および４１１の表面すなわち発光面における輝度分布の例を、図５（ａ）の曲線２１１に示す。拡散度の低い拡散部４１０の側（図の右側）は、光源４０１Ａによる光の輝度分布が拡散部４１０を用いない場合と略同一の輝度分布となっている。一方、拡散度の高い拡散部４１１の側（図の左側）では、光源４０１Ｂの光の輝度分布は、ピークが抑えられると共に、輝度が分散されてなだらかとなっている。
【００３３】
したがって、作業者１３０が、拡散部４１１側から照明装置４００の器具発光面４１２を視野の中心で見た場合には、光源４０１Ｂの光が拡散部４１１で拡散され輝度のピークが抑えられているため、作業者１３０が感じる眩しさが軽減される。
【００３４】
一方、作業者１３１が例えば上を向くなどして、照明装置４００の器具発光面４１２を稀に見た場合には、光源４０１Ａの光が低拡散度の拡散部４１０を介して輝度分布のピークが高い状態で作業者１３１の視覚の中心に入る。そのため、作業者は、眩しさを感じてしまう。天井に設置された照明装置４００の器具発光面４１２を直接見ることは頻繁には無いと考えられるが、休憩時やふとした瞬間に天井を見上げることは往々にしてあるため、従来技術は眩しさを軽減できているとはいえない。
【００３５】
これに対して、第１の実施形態では、上述したように、高輝度および小面積の光源部１０に対して高拡散度の第１拡散板１２を組み合わせ、低輝度および大面積の光源部１１に対して低拡散度の第２拡散板１３を組み合わせている。そのため、視線の方向によらず眩しさを軽減できる。
【００３６】
なお、上述では、発光面の最大輝度が、第２照明部および第１照明部とで略等しくなるようにしているが、これはこの例に限定されない。例えば、第２照明部の発光面の最大輝度が第１照明部の発光面の最大輝度よりも高くなるようにしてもよいし、第１照明部の発光面の最大輝度が第２照明部の発光面の最大輝度よりも高くなるようにしてもよい。
【００３７】
（第２の実施形態）
次に、第２の実施形態について説明する。第２の実施形態は、第１の実施形態で説明した照明装置１の、より具体的な例である。図６は、第２の実施形態に係る照明装置２を模式的に示す斜視図である。図６に示されるように、第２の実施形態に係る照明装置２は、制御部２１と、第１光源部２２、ならびに、第２光源部２３Ａおよび２３Ｂと、第１拡散部２４、ならびに、第２拡散部２５Ａおよび２５Ｂと、反射部２６とを有し、これらが筐体２０に収納されている。なお、図６の例では、第１光源部２２、ならびに、第２光源部２３Ａおよび２３Ｂは、それぞれ複数の光源部を含んでいる。
【００３８】
第１光源部２２、ならびに、第２光源部２３Ａおよび２３Ｂは、それぞれ１以上の光源を含み、制御部２１により出力が制御される。第１拡散部２４は、各第１光源部２２から放射された光を拡散する。第２拡散部２５Ａは、各第２光源部２３Ａから放射された光を拡散し、第２拡散部２５Ｂは、各第２光源部２３Ｂから放射された光を拡散する。また、反射部２６は、光源２２、ならびに、第２光源部２３Ａおよび２３Ｂから放射された光をそれぞれ所定の方向に反射する。
【００３９】
照明装置２の各部について、より詳細に説明する。第１光源部２２は、最大輝度が高く、発光部の面積が小さい。それに対して、第２光源部２３Ａおよび２３Ｂは、それぞれ第１光源部２２に比べて最大輝度が低く、発光部の面積が大きい。また、第１拡散部２４は、第２拡散部２５Ａおよび２５Ｂに比べて拡散度が高い。第１光源部２２と第１拡散部２４とを組み合わせて第１照明部を構成する。また、第２光源部２３Ａと第２拡散部２５Ａとの組み合わせと、第２光源部２３Ｂと第２拡散部２５Ｂとの組み合わせとで第２照明部を構成する。
【００４０】
図６に示されるように、照明装置２において、第２照明部は、第２光源部２３Ａと第２拡散部２５Ａとによる第１の部分と、第２光源部２３Ｂと第２拡散部２５Ｂとによる第２の部分とに分かれて構成されている。照明装置２における第１照明部は、第２照明部の第１および第２の部分に挟まれて配置されている。これに限らず、第２照明部を第１照明部の周囲に、第１照明部を囲むように配置してもよい。第２照明部は、第１照明部の周囲の少なくとも２方向に配置されることが好ましい。第１照明部および第２照明部の配置関係は、この逆でもよい。
【００４１】
第２光源部２３Ａおよび２３Ｂと、第２拡散部２５Ａおよび２５Ｂとの組み合わせは、効率の高さを保持した状態で、眩しさも軽減することができる。また、第１光源部２２と第１拡散部２４との組み合わせは、コスト面を考慮して眩しさの軽減を図ることができる。第２の実施形態による第１光源部２２と第１拡散部２４との組み合わせによる第１照明部と、第２光源部２３Ａおよび２３Ｂと第２拡散部２５Ａおよび２５Ｂとの組み合わせによる第２照明部とを、頻繁に視野の中心で見る発光面と頻繁には見ないが稀に見る発光面に対して適切に設けることにより、装置コスト、照明の効率、眩しさの軽減に配慮した照明装置２を実現することができる。
【００４２】
なお、第１照明部の発光面の面積は、照明装置２の器具発光面の面積の略３０％とすると好ましい。この３０％の根拠について、概略的に説明する。現在、屋外照明設計において眩しさを考慮した設計には、ＵＧＲ(Unified  Glare  Rating)法が一般的に用いられる。このＵＧＲ法によれば、設計に適用される視野が、国際照明委員会から出版されている技術報告書ＣＩＥ１１７−１９９５に記載されているポジションインデックス表にて定められており、適用視野範囲は、水平方向が左右約７０°、仰角方向が約６０°となっている。
【００４３】
一般的に、作業者は水平方向を視野とする作業が多いと考えられている。この場合、水平方向を視野とした場合の作業時は、仰角が約６０°以上の光は、作業者の視界にあまり入らず、眩しさにも影響が少ないと考えることができる。つまり、現在の眩しさを考慮した照明の設計方法では、仰角が約６０°以下の光の情報を主に利用しており、仰角約６０°以上の情報は、略利用していないといえる。
【００４４】
換言すれば、頻繁には見ないが稀に見る発光面は、仰角約６０°以上の情報といえ、照明器具の配光データに置き換えると、鉛直角に対して略３０°以下の角度の配光データといえる。これはすなわち、頻繁には見ないが稀に見る発光面は、全体の器具発光面の約３０％の大きさの部分（位置は中心付近）であることを意味する。
【００４５】
したがって、第２の実施形態による照明装置２では、光源部と拡散部との組み合わせで構成された各発光面の何れかを、器具発光面に対して、３０％から誤差が所定範囲以内、例えば２６％以上、且つ、３４％以下の大きさにすることにより、頻繁には見ないが稀に見る器具発光面の眩しさを軽減することができる。
【００４６】
図７は、第２実施形態による照明装置２の機能を説明するための機能ブロック図である。なお、図７において、上述した図６と共通する部分には同一の符号を付して、詳細な説明を省略する。図７において、第２光源部２３Ａおよび２３Ｂがまとめて第２光源部２３として示され、第２拡散部２５Ａおよび２５Ｂがまとめて第２拡散部２５として示されている。
【００４７】
第１照明部２７は、第１光源部２２と、反射部２６と、第１拡散部２４とを含む。第２照明部２８は、第２光源部２３と、反射部２６と、第２拡散部２５とを含む。第１照明部２７の反射部２６と、第２照明部２８の反射部２６は、共通である。制御部２１は、第１光源部２２および２３を駆動し、点灯させる。第１照明部２７において、第１光源部２２から照射された光は、第１拡散部２４を介して外部に放射されると共に、反射部２６で反射される。反射部２６で反射された光は、第１光源部２２から照射された光と共に第１拡散部２４を介して外部に放射される。第２照明部２８による構成は、第１照明部２７と同様なので、説明を省略する。
【００４８】
なお、上述では、発光面の最大輝度が、第２照明部２８および第１照明部２７とで略等しくなるようにしているが、これはこの例に限定されない。例えば、第２照明部２８の発光面の最大輝度が第１照明部２７の発光面の最大輝度よりも高くなるようにしてもよいし、第１照明部２７の発光面の最大輝度が第２照明部２８の発光面の最大輝度よりも高くなるようにしてもよい。
【００４９】
（第３の実施形態）
次に、第３の実施形態について説明する。第３の実施形態は、上述した第２の実施形態による照明装置２における第１光源部２２，ならびに、第２光源部２３Ａおよび２３Ｂの光源として、ＬＥＤ(Light  Emitting  Diode)モジュールを用いた例である。
【００５０】
図８は、第３の実施形態による照明装置３を模式的に示す斜視図である。図８に示されるように、第３の実施形態に係る照明装置３は、直流電源部３１と、光源部としての第１ＬＥＤモジュール３２、ならびに、第２ＬＥＤモジュール３３Ａおよび３３Ｂと、拡散部としての第１拡散板３４、ならびに、第２拡散板３５Ａおよび３５Ｂと、反射部３６とを有し、これらが筐体３０に収納されている。なお、図８の例では、第１ＬＥＤモジュール３２、ならびに、第２ＬＥＤモジュール３３Ａおよび３３Ｂは、それぞれ複数のＬＥＤモジュールを含んでいる。
【００５１】
第１ＬＥＤモジュール３２、ならびに、第２ＬＥＤモジュール３３Ａおよび３３Ｂは、光源としてそれぞれ１以上のＬＥＤを含み、直流電源部３１から供給される直流電源の電流値で出力（輝度）が制御される。第１拡散板３４は、第１ＬＥＤモジュール３２から照射された光を拡散する。第２拡散板３５Ａおよび３５Ｂは、それぞれ第２ＬＥＤモジュール３３Ａおよび３３Ｂから照射された光を拡散する。また、反射部３６は、第１ＬＥＤモジュール３２、ならびに、第２ＬＥＤモジュール３３Ａおよび３３Ｂから照射された光をそれぞれ所定の方向に反射する。
【００５２】
照明装置３の各部について、より詳細に説明する。第１ＬＥＤモジュール３２は、最大輝度が高く、発光部の面積が小さい。それに対して、第２ＬＥＤモジュール３３Ａおよび３３Ｂは、それぞれ第１ＬＥＤモジュール３２に比べて最大輝度が低く、発光部の面積が大きい。また、第１拡散板３４は、第２拡散板３５Ａおよび３５Ｂに比べて拡散度が高い。第１ＬＥＤモジュール３２と第１拡散板３４とを組み合わせて第１照明部を構成する。また、第２ＬＥＤモジュール３３Ａと第２拡散板３５Ａとの組み合わせと、第２ＬＥＤモジュール３３Ｂと第２拡散板３５Ｂとの組み合わせとで第２照明部を構成する。
【００５３】
図８に示されるように、照明装置３において、第２照明部は、第２ＬＥＤモジュール３３Ａと拡散部３５Ａとによる第１の部分と、第２ＬＥＤモジュール３３Ｂと第２拡散板３５Ｂとによる第２の部分とに分かれて構成されている。照明装置３における第１照明部は、第２照明部の第１および第２の部分に挟まれて配置されている。これに限らず、第２照明部を第１照明部の周囲に、第１照明部を囲むように配置してもよい。第２照明部は、第１照明部の周囲の少なくとも２方向に配置されることが好ましい。第１照明部および第２照明部の配置関係は、この逆でもよい。また、第１照明部の発光面の面積は、照明装置３の器具発光面の面積の略３０％とすると好ましい。
【００５４】
図９は、第３実施形態による照明装置３の機能を説明するための機能ブロック図である。なお、図９において、上述した図８と共通する部分には同一の符号を付して、詳細な説明を省略する。図９において、第２ＬＥＤモジュール３３Ａおよび３３Ｂがまとめて第２ＬＥＤモジュール３３として示され、第２拡散板３５Ａおよび３５Ｂがまとめて第２拡散板３５として示されている。
【００５５】
第１照明部３７は、第１ＬＥＤモジュール３２と、反射部３６と、第１拡散板３４とを含む。同様に、第２照明部３８は、第２ＬＥＤモジュール３３と、反射部３６と、第２拡散板３５とを含む。第１照明部３７の反射部２６と、第２照明部３８の反射部３６は、共通である。直流電源部３１は、第１ＬＥＤモジュール３２および第２ＬＥＤモジュール３３を駆動し、点灯させる。第１照明部３７において、第１ＬＥＤモジュール３２から照射された光は、第１拡散板３４を介して外部に放射されると共に、反射部３６で反射される。反射部３６で反射された光は、第１ＬＥＤモジュール３２から照射された光と共に第１拡散板３４を介して外部に放射される。第２照明部３８による構成は、第１照明部３７と同様なので、説明を省略する。
【００５６】
第１ＬＥＤモジュール３２および第２ＬＥＤモジュール３３は、セラミック基板と、セラミック基板の一面に実装された複数の白色ＬＥＤパッケージと、電源部と接続する端子とで構成されている。なお、ＬＥＤパッケージは、ＬＥＤチップを封入し基板に接続し易くしたものである。すなわち、１のＬＥＤパッケージは、１の光源を構成する。
【００５７】
第１ＬＥＤモジュール３２は、発光部の面積の大きい白色ＬＥＤパッケージを実装したＬＥＤモジュールを適用できる。このようなＬＥＤパッケージとしては、例えば、多数のＬＥＤチップを密集して発光部を大面積化しているＣＯＢ(Chip  On  Board)を適用することができる。一方、第２ＬＥＤモジュール３３は、発光部の面積の小さい白色ＬＥＤパッケージを実装したＬＥＤモジュールを適用することができる。このようなＬＥＤパッケージとしては、例えば、ＳＭＤ(Surface  Mount  Device)型の白色ＬＥＤパッケージを用いることができる。第１ＬＥＤモジュール３２および第２ＬＥＤモジュール３３と接触する部材（例えば、筐体の一部など）の間には、放熱のため熱伝導シートまたはグリースを介装することが望ましい。
【００５８】
第１ＬＥＤモジュール３２および第２ＬＥＤモジュール３３の構成は、上述の構成に限られない。例えば第２ＬＥＤモジュール３３は、ＳＭＤ型の白色ＬＥＤパッケージを密に並べてもよいし、白色有機ＥＬ(Electro-Luminescence)などを用いてもよい。
【００５９】
また、第１ＬＥＤモジュール３２と第２ＬＥＤモジュール３３とで配光特性を異ならせてもよい。例えば、第２ＬＥＤモジュール３３にランバーシアン（均等拡散面）と呼ばれる配光特性の白色ＬＥＤパッケージを使用し、第１ＬＥＤモジュール３２に指向性のある白色ＬＥＤパッケージを使用することが考えられる。均等拡散面は、どの方向から見ても輝度が変わらない発光面をいい、配光に関して無指向性である。
【００６０】
ここで、光源の指向性について、図１０を用いて概略的に説明する。光源から照射される光の拡がりは、配光として表現され、光度［ｃｄ］（カンデラ）をプロットした配光図で示される。光の拡がりすなわち配光を角度で表す場合、その角度は配光角と呼ばれる。一般的には、図１０（ａ）に示されるように、下方光度の１／２の範囲の角度を配光角と呼ぶ。図１０（ａ）の例では、下方光度の１／２の部分が鉛直角＝３０°と交差し、配光角が６０°となっている。
【００６１】
配光角は、角度によって、狭角配光形（鉛直方向に対して１５°未満）、中角配光形（鉛直方向に対して１５°以上３０°未満）、広角配光形（鉛直方向に対して３０°以上９０°未満）、準全般配光形（鉛直方向に対して９０°以上１８０°未満）、全般配光形（鉛直方向に対して１８０°）の５種類に大別される。
【００６２】
図１０（ｂ）の例は、下方光度の１／２の範囲の角度が鉛直方向に対して３０°以上９０°未満の広角配光形であって、配光が広いといわれる。これに対して、図１０（ｃ）の例は、下方光度の１／２の範囲の角度が鉛直方向に対して１５°以上３０°未満の中角配光形であって、配光が狭いといわれる。指向性がある光源とは、配光が上述の狭角配光形、中角配光形および広角配光形の光源をいう。また、無指向性の光源とは、準全般配光形および全般配光形の光源をいう。
【００６３】
このように、無指向性の発光面を持つ光源部を用いることで、広配光の光を容易に得ることができ、第１拡散板３４として比較的拡散度の低いものを用いることができる。また、これにより、眩しさが軽減され、且つ、効率の良い照明を得ることができる。
【００６４】
さらに、第１ＬＥＤモジュール３２と第２ＬＥＤモジュール３３とで相関色温度を異ならせてもよい。例えば、第２ＬＥＤモジュール３３に高色温度の白色ＬＥＤパッケージを使用し、第１ＬＥＤモジュール３２に低色温度の白色ＬＥＤパッケージを使用することが考えられる。一般的に、相関色温度が低い光源は、相関色温度が高い光源と比べて、眩しさを感じない傾向がある。そのため、頻繁には見ないが稀に見る発光面を構成する第１照明部３７の第１ＬＥＤモジュール３２の相関色温度を、頻繁に見る発光面を構成する第２照明部３８の第２ＬＥＤモジュール３３の相関色温度よりも低くすることにより、より眩しさが軽減された照明を得ることができる。
【００６５】
さらにまた、第１ＬＥＤモジュール３２と第２ＬＥＤモジュール３３とで演色評価値を異ならせてもよい。例えば、第２ＬＥＤモジュール３３に演色評価値の高い白色ＬＥＤパッケージを使用し、第１ＬＥＤモジュール３２に演色評価値の低い白色ＬＥＤパッケージを使用することが考えられる。一般的に、演色性の良い光源（例えば演色評価値の高い光源）は、演色性の悪い光源と比べて、色の見えが良い傾向がある。そのため、頻繁には見ないが稀に見る発光面を構成する第１照明部３７の第１ＬＥＤモジュール３２の演色評価値を、頻繁に見る発光面を構成する第２照明部３８の第２ＬＥＤモジュール３３の演色評価値よりも低くすることにより、より眩しさが軽減され、且つ、色の見え方も考慮した照明を得ることができる。
【００６６】
このように、第１照明部３７の第１ＬＥＤモジュール３２と、第２照明部３８の第２ＬＥＤモジュール３３とで、含まれるＬＥＤパッケージの配置、配光特性、相関色温度、演色評価値などを異ならせることで、より効果的に、眩しさを軽減することができる。
【００６７】
反射板３６は、例えば金属板を用いることができる。例えば、反射板３６は、鋼板などの部材で構成され、第１ＬＥＤモジュール３２および第２ＬＥＤモジュール３３の周囲を囲むように配置する。反射板３６の内側すなわち第１ＬＥＤモジュール３２および第２ＬＥＤモジュール３３に向かう面は、白色などの高反射塗料が塗布されていることが望ましい。反射板３６の構成は、これに限られない。例えば、反射板３６をプラスチックなどで構成してもよい。
【００６８】
第１拡散板３４および第２拡散板３５は、ポリカーボネイト樹脂やアクリル樹脂などの拡散素材を用いることができる。これらの樹脂素材は、様々な拡散度の素材を容易に選択できる。第２拡散板３５は、拡散度の低い拡散素材を選択し、第１拡散板３４は、拡散度の高い拡散素材を選択する。これに限らず、供給する電源の電圧値で拡散度を設定できる高分子分散型液晶などを利用してもよい。
【００６９】
直流電源部３１は、例えば商用電源で駆動し、第１ＬＥＤモジュール３２および第２ＬＥＤモジュール３３に対して、互いに独立して直流電流を供給することができる。これにより、第１ＬＥＤモジュール３２および第２ＬＥＤモジュール３３の発光出力をそれぞれ独立して制御できる。直流電源部３１は、これに限らず、外部から赤外線通信などを利用して遠隔操作可能な電源や、太陽電池などの直流電源から電気の供給を受けて駆動する電源などを利用してもよい。
【００７０】
筐体３０は、例えば鋼板やアルミニウムなどの金属部材で構成される。筐体３０は、第１ＬＥＤモジュール３２および第２ＬＥＤモジュール３３、反射板３６、第１拡散板３４および第２拡散板３５、ならびに、直流電源部３１を内蔵すると共に、第１ＬＥＤモジュール３２および第２ＬＥＤモジュール３３の発熱による熱を放熱する役割も併せ持つ。筐体３０の構成は、これに限らず、例えば、放熱機能を向上させるためにヒートパイプや放熱フィンなどを具備していてもよい。また、直流電源部３１は、筐体３０の外部にあってもよい。
【００７１】
図１１および図１２を用いて、第３の実施形態に係る照明装置３を用いる効果について説明する。なお、図１１および図１２において、上述した図３および図８と共通する部分には同一の符号を付して、詳細な説明を省略する。
【００７２】
図１１は、第３の実施形態による照明装置３が設置される環境の例を示す。上述した図３の例と同様に、照明装置３は、器具発光面３９が床面に対向するように、天井１４０に設置される。照明装置３の直下付近である位置ｂに作業者１３１が位置し、それぞれ照明装置３を挟んで位置ｂから離れた位置ａおよび位置ｃに、作業者１３０および１３２が位置しているものとする。また、作業者１３０および１３２は、それぞれ照明装置３側に視野を向けているものとする。
【００７３】
作業者１３０および１３２は、前方を向いた状態で視野に器具発光面３９が入るので、視野の中心で頻繁に器具発光面３９を見る可能性がある。一方、作業者１３１は、照明装置３すなわち器具発光面３９の直下付近に位置しているため、器具発光面３９を、視野の中心で頻繁には見ないが、稀に見る可能性がある。
【００７４】
図１２は、第３の実施形態による照明装置３の特性を説明するための図である。図１２（ａ）は、照明装置３の器具発光面３９における輝度分布の例を示し、図１２（ｂ）は、図１２（ａ）に対応する照明装置３の断面を示す。第１ＬＥＤモジュール３２、ならびに、第２ＬＥＤモジュール３３Ａおよび３３Ｂの発光部による輝度分布の例を、図１２（ａ）の曲線３０１に示す。第１照明部３７すなわち第１ＬＥＤモジュール３２の発光部による輝度分布は、図１２（ａ）に範囲３００Ｂで示されるように、幅が狭く高いピークが現れている。これに対して、第２照明部３８すなわち第２ＬＥＤモジュール３３Ａおよび３３Ｂの発光部による輝度分布は、範囲３００Ａ1および３００Ａ2にそれぞれ示されるように、ピークが第１ＬＥＤモジュール３２のピークよりも低く、且つ、幅が広い。
【００７５】
第１拡散板３４、ならびに、第２拡散板３５Ａおよび３５Ｂの表面すなわち発光面における輝度分布の例を、図１２（ａ）の曲線３０２に示す。最大輝度が低く発光部の面積が大きな第２ＬＥＤモジュール３３Ａおよび３３Ｂに対して拡散度の低い第２拡散板３５Ａおよび３５Ｂがそれぞれ組み合わされているため、第２ＬＥＤモジュール３３Ａおよび３３Ｂによる光の輝度分布は、それぞれ第２拡散板３５Ａおよび３５Ｂを用いない場合と略同一となっている。一方、最大輝度が高く発光部の面積が小さな第１ＬＥＤモジュール３２に対して拡散度の高い第１拡散板３４が組み合わされているため、第１ＬＥＤモジュール３２の光の輝度分布は、ピークが抑えられると共に、輝度が分散されてなだらかとなっている。また、高拡散度の第１拡散板３４と、低拡散度の第２拡散板３５Ａおよび３５Ｂとにより、第１ＬＥＤモジュール３２、ならびに、第２ＬＥＤモジュール３３Ａおよび３３Ｂによる、発光面における輝度分布が略等しく揃えられている。
【００７６】
照明装置３は、高輝度および高拡散である第１照明部３７の周辺に、低輝度および低拡散である第２照明部３８が設けられている。したがって、作業者１３０および１３２が照明装置３の器具発光面３９を視野の中心で見た場合であっても、作業者１３０および１３２が感じる眩しさが軽減される。
【００７７】
また、作業者１３１が例えば上を向くなどして、照明装置３の器具発光面３９を稀に見た場合であっても、作業者１３１の視野の中心に直接的に入る光は、第１照明部３７による、高輝度の第１ＬＥＤモジュール３２の光が高拡散度の第１拡散板３４で拡散された光であるので、作業者１３１が感じる眩しさが軽減される。また、第１照明部３７の周辺は、低輝度および低拡散の第２照明部３８が配置されているため、第２ＬＥＤモジュール３３Ａおよび３３Ｂ側の光が作業者１３１の視野の中心に入った場合であっても、作業者１３１の感じる眩しさが軽減される。
【００７８】
また、照明装置３は、発光面の面積が器具発光面３９の半分以上の面積を占める第２照明部３８に、拡散度が低い第２拡散板３５Ａおよび３５Ｂ、すなわち効率の良い拡散板を用いているため、照明の効率が良い。さらに、照明装置３は、光源としてＬＥＤチップを多数使用している第２照明部３８と、光源として第２照明部３８に対して少ない数のＬＥＤチップを使用している第１照明部３７とを併用して構成している。そのため、装置コストの軽減を図ることができる。このように、第３の実施形態により、コスト面、効率および眩しさに配慮した照明装置を実現することができる。
【００７９】
上述では、反射板３６が第１照明部３７および第２照明部３８で共通とされているが、これはこの例に限定されない。例えば、反射板３６を、さらに第１照明部３７および第２照明部３８を仕切るように設けてもよい。
【００８０】
また、上述では、第１照明部３７の両側に第２照明部３８を設けるようにしたが、これはこの例に限定されない。例えば、第１の実施形態で説明したように、器具発光面３９に対してそれぞれ１の第１照明部３７および第２照明部３８のみが設けられていてもよいし、それぞれ複数の第１照明部３７および第２照明部３８が設けられていてもよい。第１照明部３７および第２照明部３８に加えて、さらに輝度特性が異なる第３照明部を設けてもよい。
【００８１】
さらに、第１照明部３７および第２照明部３８、若しくは、器具発光面３９の形状は、矩形に限られず、他の多角形や円形、楕円形、さらに他の形状であってもよい。
【００８２】
さらにまた、上述では、器具発光面３９は、第１拡散板３４、ならびに、第２拡散板３５Ａおよび３５Ｂにより、全面が拡散部として構成されているが、これはこの例に限定されず、器具発光面３９において拡散部が無い領域を設けてもよい。これにより、照明の効率をさらに向上させることができる。例えば、低輝度および低拡散である第２照明部３８に対して、拡散部が無い領域を設けることが考えられる。
【００８３】
また、上述では、発光面の最大輝度が、第２照明部３８および第１照明部３７とで略等しくなるようにしているが、これはこの例に限定されない。例えば、第２照明部３８の発光面の最大輝度が第１照明部３７の発光面の最大輝度よりも高くなるようにしてもよいし、第１照明部３７の発光面の最大輝度が第２照明部３８の発光面の最大輝度よりも高くなるようにしてもよい。
【００８４】
さらに、上述では、最大輝度が高く面積の小さな第１ＬＥＤモジュール３２に対して高拡散の第１拡散板３４を組み合わせ、最大輝度が低く面積の大きな第２ＬＥＤモジュール３３Ａおよび３３Ｂに対して低拡散の第２拡散板３５Ａおよび３５Ｂをそれぞれ組み合わせていたが、これはこの例に限定されない。
【００８５】
例えば、第２ＬＥＤモジュール３３Ａの最大輝度と、第２ＬＥＤモジュール３３Ａに含まれる各ＬＥＤパッケージの個数との積が、第１ＬＥＤモジュール３２の最大輝度と、第１ＬＥＤモジュール３２に含まれる各ＬＥＤパッケージの個数との積よりも大きい場合が考えられる。この場合には、第２ＬＥＤモジュール３３Ａに対して高拡散の拡散板を組み合わせ、第１ＬＥＤモジュール３２に対して低拡散の拡散板を組み合わせることができる。これは、第２ＬＥＤモジュール３３Ｂについても同様とする。
【００８６】
一般的に、最大輝度が高い光源部の方が眩しく感じるが、条件によっては、最大輝度が低くても眩しさを感じる場合がある。例えば、最大輝度が１０，００１ｃｄ／ｍ2の光源１個からなる光源部Ａと、１０，０００ｃｄ／ｍ2の光源が１００個含まれる光源部Ｂとでは、光源部Ｂが光源部Ａよりも眩しく感じられると考えられる。そのため、光源部に含まれる光源の数と最大輝度との積によって、光源部と組み合わせる拡散部の拡散度を選択する。これにより、より眩しさを軽減可能な照明装置を提供することができる。
【００８７】
（第４の実施形態）
次に、第４の実施形態について説明する。第４の実施形態は、天井への反射を積極的に利用した照明装置の例である。図１３は、第４の実施形態による照明装置４を模式的に示す斜視図である。
【００８８】
図１３に示されるように、第４の実施形態に係る照明装置４は、例えば第１光源部としての第１ＬＥＤモジュール４２および第２光源部とししての第２ＬＥＤモジュール４３と、第１拡散部としての第１拡散板４４および第２拡散部としての第２拡散板４５と、反射部４６とを有し、これらが筐体４０に収納されている。なお、図１３において、各第１ＬＥＤモジュール４２および第２ＬＥＤモジュール４３に対して直流電源を供給する直流電源部は、省略されている。なお、図１３において、第１ＬＥＤモジュール４２および第２ＬＥＤモジュール４３は、それぞれ複数のＬＥＤモジュールを含んでいる。
【００８９】
第１ＬＥＤモジュール４２は、最大輝度が高く、発光部の面積が小さい。それに対して、第２ＬＥＤモジュール４３は、第１ＬＥＤモジュール４２と比較して最大輝度が低く発光部の面積が大きい。第２ＬＥＤモジュール４３に対して第２拡散板４５が組み合わされて第２照明部とされると共に、側面周囲に反射部４６が設けられる。一方、第１ＬＥＤモジュール４２は、第２ＬＥＤモジュール４３の背面側に、第２ＬＥＤモジュール４３と対向する方向に向けてに光を照射するように設けられる。また、第１ＬＥＤモジュール４２の周囲には、第１拡散板４４が設けられる。第１拡散板４４は、拡散度が第２拡散板４５よりも高いものが選択され、第１ＬＥＤモジュール４２と組み合わされて、第１照明部が構成される。
【００９０】
このような構成において、照明装置４を、第２ＬＥＤモジュール４３による光の照射方向を床面に向けて設置した場合、第１ＬＥＤモジュール４２による光の照射方向は、天井側となる。換言すれば、第１ＬＥＤモジュール４２による光は、９０°以上の鉛直角で以って照射される。第２ＬＥＤモジュール４３から照射された光は、第２拡散板４５を介して床面側に向けて放射される。一方、第１ＬＥＤモジュール４２から照射された光は、第１拡散板４４を介して照明装置４の側面から天井側に向けて放射される。
【００９１】
光源から放射された光は、光源の輝度が同じであれば、周辺が明るい方が、周辺が暗い場合よりも眩しく感じにくい。このことから、照明装置による眩しさは、天井が明るくても軽減されると考えることができる。第４の実施形態では、第１ＬＥＤモジュール４２からの光を、９０°以上の鉛直角で以って放射されるので、天井面を明るくすることができる。そのため、照明装置４を用いることで、作業者が感じる眩しさをより軽減することができる。
【００９２】
照明装置４の直下付近に位置する作業者は、例えば上を向くなどして照明装置４の第２照明部による発光面（第２拡散板４５）を稀に見た場合であっても、直接的に視野の中心に入る光は、低輝度の第２ＬＥＤモジュール４３の光が第２拡散板４５で拡散された光となる。それと共に、照明装置４の背景となる天井が第１照明部により照明されているので、当該作業者が感じる眩しさが軽減される。
【００９３】
一方、照明装置４の直下付近から離れた位置にいる作業者は、照明装置４の方向に向けて正面を見たときの視野の中心に入る光は、高輝度の第１ＬＥＤモジュール４２の光が高拡散度の第１拡散板４４で拡散された光であるので、当該作業者が感じる眩しさが軽減される。また、天井が第１照明部により照明されているので、照明の効率が良い。
【００９４】
また、上述では、発光面の最大輝度が、第２照明部および第１照明部とで略等しくなるようにしているが、これはこの例に限定されない。例えば、第２照明部の発光面の最大輝度が第１照明部の発光面の最大輝度よりも高くなるようにしてもよいし、第１照明部の発光面の最大輝度が第２照明部の発光面の最大輝度よりも高くなるようにしてもよい。
【００９５】
（第５の実施形態）
次に、第５の実施形態について説明する。上述した第１の実施形態〜第４の実施形態では、高輝度の光源部と高拡散度の拡散部との組み合わせによる第１照明部と、低輝度の光源部と低拡散度の拡散部との組み合わせによる第２照明部とを明確に分離した構成としていた。これに対して、第５の実施形態では、光源部の輝度と拡散部の拡散度を、器具発光面の位置に応じて段階的に変化させ、第１照明部から第２照明部への切り替わりが連続的となるようにする。
【００９６】
図１４は、第５の実施形態による照明装置５を模式的に示す斜視図である。図１４に示されるように、第５の実施形態に係る照明装置５は、直流電源部５１と、光源部取付面５４に取り付けられた光源部としての各ＬＥＤモジュール５２と、拡散部としての拡散板５３と、反射部５６とを有し、これらが筐体５０に収納されている。
【００９７】
図１５は、第５の実施形態による照明装置５の光源部および拡散板の構成例を示す。なお、図１５（ａ）および図１５（ｂ）は、それぞれ照明装置５の正面側から見た図である。
【００９８】
図１５（ａ）は、第５の実施形態に係る照明装置５におけるＬＥＤモジュール５２の配置の例を示す。図１５（ａ）において、照明装置５の光源部取付面５４に対して複数のＬＥＤモジュール５２が設けられる。第５の実施形態では、各ＬＥＤモジュール５２は、ＬＥＤモジュール５２1、５２2、５２3および５２4として例示されるように、光源部取付面５４の中心から周辺に向けて、間隔が段階的に狭められて配置される。
【００９９】
また、各ＬＥＤモジュール５２は、光源部取付面５４の中心から周辺に向けて、順次、輝度が低くされる。例えばＬＥＤモジュール５２1、５２2、５２3および５２4を例に取ると、これらＬＥＤモジュール５２1、５２2、５２3および５２4のうち、光源部取付面５４の中心に位置するＬＥＤモジュール５２1が最も輝度が高くされ、中心から周辺に向けて順次輝度が低くされ、最周辺に位置するＬＥＤモジュール５２4が最も輝度が低くされる。
【０１００】
図１５（ｂ）は、第５の実施形態に係る照明装置５における拡散板５３の構成例を示す。図１５（ｂ）の例では、拡散板５３は、中心から周辺に向けて、順次拡散度が低くされた複数の領域５３1、５３2、５３3、５３4および５３5が設けられている。すなわち、領域５３1、５３2、５３3、５３4および５３5のうち、拡散板５３の中心に位置する領域５３1が最も拡散度が高くされ、中心から周辺に向けて順次拡散度が低くされ、最周辺の領域５３5が最も拡散度が低くされる。
【０１０１】
なお、上述では、拡散板５３内において拡散度が位置に応じて段階的に変化するように説明したが、これはこの例に限定されない。すなわち、拡散板５３は、位置に応じて連続的に拡散度が変化するものでもよい。
【０１０２】
一般的に、作業者は水平方向を向いての作業が多いため、器具発光面すなわち拡散板５３の周辺は視野に入り易いが、器具発光面の直下は視野に入りにくい。第５の実施形態に係る照明装置５は、それぞれ位置に応じて輝度および拡散度が異ならされた各ＬＥＤモジュール５２と拡散板５３とを組み合わせ、器具発光面の周辺が低輝度で低拡散となるように構成している。これにより、視野に入り易い部分である器具発光面すなわち拡散板５３の表面における眩しさが軽減される。
【０１０３】
また、照明装置５は、拡散板５３を器具発光面内で均一な拡散度にするのではなく、頻繁に視野の中心で見る部分と稀に見る部分とを考慮して、器具発光面内で拡散度が位置に応じて順次変化するようにしている。そのため、眩しさが軽減されると共に、照明の効率が向上される。さらに、器具発光面を頻繁に視野の中心で見る部分と稀に見る部分に配慮して、光源部取付面５４に対して、適切且つ不均一にＬＥＤモジュール５２を配置している。これにより、ＬＥＤモジュール５２を均一に配置する場合に比べて、配置するＬＥＤモジュール５２の数を少なくすることができ、装置コストを低減させることが可能である。このように、第５の実施形態によれば、装置コスト、効率および眩しさに配慮した照明装置５を実現することができる。
【０１０４】
（第５の実施形態の変形例）
次に、第５の実施形態の変形例について説明する。第５の実施形態の変形例では、上述した第５の実施形態とは逆に、光源部は、中心から周辺に向けて輝度が順次高くされると共に、配置間隔が順次広くされる。また、拡散部は、中心から周辺に向けて拡散度が順次高くされる。
【０１０５】
図１６は、第５の実施形態の変形例による照明装置５’を模式的に示す斜視図である。なお、図１６において、上述の図１４と共通する部分には同一の符号を付して、詳細な説明を省略する。第５の実施形態の変形例に係る照明装置５’は、直流電源部５１と、光源部取付面５４に取り付けられた光源部としての各ＬＥＤモジュール５２と、拡散部としての拡散板５３’と、反射部５６とを有し、これらが筐体５０に収納されている。
【０１０６】
図１７は、第５の実施形態の変形例による照明装置５’の光源部および拡散板の構成例を示す。なお、図１７（ａ）および図１７（ｂ）は、それぞれ照明装置５の正面側から見た図である。
【０１０７】
図１７（ａ）は、第５の実施形態の変形例に係る照明装置５’におけるＬＥＤモジュール５２の配置の例を示す。図１７（ａ）において、照明装置５’の光源部取付面５４に対して複数のＬＥＤモジュール５２が設けられる。第５の実施形態の変形例では、各ＬＥＤモジュール５２は、ＬＥＤモジュール５２11、５２12、５２13および５２14として例示されるように、光源部取付面５４の中心から周辺に向けて、間隔が段階的に広げられて配置される。
【０１０８】
また、各ＬＥＤモジュール５２は、光源部取付面５４の中心から周辺に向けて、順次、輝度が高くされる。例えばＬＥＤモジュール５２11、５２12、５２13および５２14を例に取ると、これらＬＥＤモジュール５２11、５２12、５２13および５２14のうち、光源部取付面５４の中心に位置する光源部５２11が最も輝度が低くされ、中心から周辺に向けて順次輝度が高くされ、最周辺に位置する光源部５２14が最も輝度が高くされる。
【０１０９】
図１７（ｂ）は、第５の実施形態の変形例に係る照明装置５’に係る拡散板５３’の構成例を示す。図１７（ｂ）の例では、拡散板５３’は、中心から周辺に向けて、順次拡散度が高くされた複数の領域５３11、５３12、５３13、５３14および５３15が設けられている。すなわち、領域５３11、５３12、５３13、５３14および５３15のうち、拡散板５３’の中心に位置する領域５３11が最も拡散度が低くされ、中心から周辺に向けて順次拡散度が高くされ、最周辺の領域５３15が最も拡散度が高くされる。
【０１１０】
なお、上述では、拡散板５３’内において拡散度が位置に応じて段階的に変化するように説明したが、これはこの例に限定されない。すなわち、拡散板５３’は、位置に応じて連続的に拡散度が変化するものでもよい。
【０１１１】
このように、第５の実施形態の変形例では、それぞれ位置に応じて輝度および拡散度が異ならされた各ＬＥＤモジュール５２と拡散板５３’とを組み合わせ、器具発光面の周辺部が高輝度で高拡散となるように構成している。この場合であっても、上述した第５の実施形態と同様に、視野に入り易い部分である器具発光面すなわち拡散板５３’の表面における眩しさが軽減される。また、これにより、上述の第５の実施形態と同様に、第５の実施形態の変形例によれば、装置コスト、効率および眩しさに配慮した照明装置５’を実現することができる。
【０１１２】
なお、第５の実施形態および第５の実施形態の変形例による照明装置５および５’の構成は、上述の例に限定されない。たとえば、ＬＥＤモジュール５２が含むＬＥＤパッケージの大きさは、器具発光面の中心と周辺とで異なっていてもよい。また、ＬＥＤモジュール５２が含むＬＥＤパッケージの配列は、器具発光面の中心から周辺に向かって種類が異なるのに限られず、例えば器具発光面の一端から他端に向かって種類を異ならせてもよい。さらに、拡散板５３および５３’において、器具発光面に対して拡散部が無い領域を設けてもよい。
【０１１３】
さらにまた、上述の第５の実施形態およびその変形例では、第１照明部から第２照明部に連続的に切り替わるようにした拡散板の各領域において、発光面の最大輝度が略等しいように説明したが、これはこの例に限定されない。発光面の位置に応じて最大輝度が異なるようにしても良い。例えば、発光面の最大輝度が第１照明部から第２照明部に向けて徐々に変化するようにしてもよいし、各領域の最大輝度がそれぞれ異なっていてもよい。
【０１１４】
（最大輝度の定義の他の例）
なお、上述の各実施形態および変形例では、最大輝度が光源部の発光面における輝度分布の最大値であるとして説明したが、これはこの例に限定されない。すなわち、評価対象によっては、この方法での最大輝度の定義が困難な場合がある。この最大輝度の定義の他の例では、図１８に例示するように、器具発光面における輝度分布のピーク値Ｌpeakと最小値Ｌminとの差分に所定の係数ｋを乗じた値ΔＬを用いて、最大輝度Ｌmaxを求める。
【０１１５】
なお、図１８において、縦軸は器具発光面における輝度、横軸は器具発光面における位置を示し、器具発光面における輝度分布の例が示されている。
【０１１６】
より具体的には、この最大輝度の定義の他の例では、最大輝度Ｌmaxを、下記の式（１）に従い算出する。なお、係数ｋは、（０≦ｋ≦１）とする。
Ｌmax＝(Ｌpeak−Ｌmin)×(１−ｋ)＋Ｌmin    …（１）
【０１１７】
一例として、係数ｋが０．１の場合、値ΔＬは、ピーク値Ｌpeakと最小値Ｌminとの差分の１０％となる。この場合、最大輝度Ｌmaxは、上述の式（１）に従い、(Ｌpeak−Ｌmin)×０．９＋Ｌminとして求められる。同様に、係数ｋが０．２の場合、最大輝度Ｌmaxは、(Ｌpeak−Ｌmin)×０．８＋Ｌminとして求められる。このように、最大輝度Ｌmaxを、器具発光面の輝度分布における輝度のピーク値Ｌpeakに対して所定の割合だけ低い輝度として定義することができる。
【０１１８】
なお、本発明は上述した各実施形態そのままに限定されるものではなく、実施段階ではその要旨を逸脱しない範囲で構成要素を変形して具体化できる。また、各実施形態に開示されている複数の構成要素の適宜な組み合わせにより、種々の発明を形成できる。例えば、各実施形態に示される全構成要素から幾つかの構成要素を削除してもよい。さらに、異なる実施形態にわたる構成要素を適宜組み合わせてもよい。
【符号の説明】
【０１１９】
１，２，３，４，５，５’，１００  照明装置
１０，１０1，１０2，１０3  第１光源部
１１  第２光源部
１２  第１拡散板
１３  第２拡散板
２１  制御部
２２，２３Ａ，２３Ｂ，１０１，１０２  光源部
２４，２５Ａ，２５Ｂ  拡散部
２６，３６，４６，５６  反射部
２７，３７  第１照明部
２８，３８  第２照明部
３１，５１  直流電源部
３２，３３Ａ，３３Ｂ，４２，４３，５２，５２1，５２2，５２3，５２４，５２11，５２12，５２13，５２14  ＬＥＤモジュール
３４，３５Ａ，３５Ｂ，４４，４５，５３，５３’  拡散板
５４  光源部取付面
１０３，１０４  拡散板
１０５，１０６  発光部
１０７，１０８  発光面
１４，３９，１０９  器具発光面
１３０，１３１，１３２  作業者
１４０  天井
【要約】
【課題】眩しさが軽減された照明を、装置コストを抑制しつつ実現可能とする。
【解決手段】実施形態の照明装置は、互いに特性の異なる複数の光源部と、光源部から照射される光を拡散させる、互いに特性の異なる複数の拡散部とを有する。一例として、第１光源部と第１拡散部とを、第１光源部から照射された光が第１拡散部を介して外部に放射されるように配置して第１照明部を構成する。最大輝度が第１光源部よりも低輝度であって、且つ、第１光源部よりも発光面の面積が大きい第２光源部と、第１拡散部よりも拡散度の低い第２拡散部とを、前記第２光源部から照射された光が前記第２拡散部を介して外部に放射されるように配置して第２照明部を構成する。第１照明部と第２照明部とを適切に配置して、照明装置を構成する。
【選択図】図２【図１】
0005554432.tif 000002
【図２】
0005554432.tif 000003
【図３】
0005554432.tif 000004
【図４】
0005554432.tif 000005
【図５】
0005554432.tif 000006
【図６】
0005554432.tif 000007
【図７】
0005554432.tif 000008
【図８】
0005554432.tif 000009
【図９】
0005554432.tif 000010
【図１０】
0005554432.tif 000011
【図１１】
0005554432.tif 000012
【図１２】
0005554432.tif 000013
【図１３】
0005554432.tif 000014
【図１４】
0005554432.tif 000015
【図１５】
0005554432.tif 000016
【図１６】
0005554432.tif 000017
【図１７】
0005554432.tif 000018
【図１８】
0005554432.tif 000019